(57)【要約】      （修正有）【課題】良好な履き心地を維持しながら、軽度の尿漏れ対策を講じることができるズボンを提供する。【解決手段】ズボン本体１１の左前身頃１２の上部裏側に、防水生地で形成した左側防水裏地２２を、ズボン本体１１の右前身頃１３の上部裏側に、防水生地で形成した右側防水裏地２３をそれぞれ設ける。スライドファスナーを取り付ける持ち出し部１５を防水生地で形成する。左側防水裏地２２と右側防水裏地２３とは、ズボン本体１１のウエスト部から股下部の膝上に至るまでの長さをそれぞれ有するとともに、ズボン本体１１の脇部に縫合される脇縫合部２６と、ズボン本体１１の前中心部に縫合される前中心縫合部２４と、ズボン本体１１の内股部に縫合される内股縫合部２３ｅと、ズボン本体１１のウエスト部に縫合されるウエスト縫合部とをそれぞれ備え、持ち出し部１５は、ズボン本体１１側に縫合される持ち出し縫合部１５ｂを備えている。【選択図】図１
0003210972.tif 000002
【実用新案登録請求の範囲】
【請求項１】
ズボン本体の左前身頃の上部裏側に、防水生地で形成した左側防水裏地を、ズボン本体の右前身頃の上部裏側に、防水生地で形成した右側防水裏地をそれぞれ設け、スライドファスナーを取り付ける持ち出し部を防水生地で形成し、
前記左側防水裏地と前記右側防水裏地とは、前記ズボン本体のウエスト部から股下部の膝上に至るまでの長さをそれぞれ有するとともに、前記ズボン本体の脇部に縫合される脇縫合部と、前記ズボン本体の前中心部に縫合される前中心縫合部と、前記ズボン本体の内股部に縫合される内股縫合部と、ズボン本体のウエスト部に縫合されるウエスト縫合部とをそれぞれ備え、
前記持ち出し部は、ズボン本体側に縫合される持ち出し縫合部を備えていることを特徴とするズボン。
【請求項２】
ズボン本体の左前身頃の上部裏側に、防水生地で形成した左側防水裏地を、ズボン本体の右前身頃の上部裏側に、防水生地で形成した右側防水裏地を、スライドファスナーを取り付ける持ち出し部の裏側に、防水生地で形成した持ち出し用防水裏地をそれぞれ設け、
前記左側防水裏地と前記右側防水裏地とは、前記ズボン本体のウエスト部から股下部の膝上に至るまでの長さをそれぞれ有するとともに、前記ズボン本体の脇部に縫合される脇縫合部と、前記ズボン本体の前中心部に縫合される前中心縫合部と、前記ズボン本体の内股部に縫合される内股縫合部と、ズボン本体のウエスト部に縫合されるウエスト縫合部とをそれぞれ備え、
前記持ち出し部は、ズボン本体側に縫合される持ち出し縫合部を備えていることを特徴とするズボン。
【請求項３】
前記防水生地は、水蒸気は通し、且つ、水は通さない極めて微細な複数の孔を有する皮膜を布面に加工した生地であることを特徴とする請求項１又は２記載のズボン。
【請求項４】
前記左側防水裏地と前記右側防水裏地と前記持ち出し部とを縫合した状態のズボン本体裏側の、前記前中心縫合部とその周囲、及び、前記持ち出し縫合部とその周囲に防水処理を施した防水部をそれぞれ設けたことを特徴とする請求項１乃至３のいずれか１項記載のズボン。
【考案の詳細な説明】
【技術分野】
【０００１】
本考案は、スラックスや半ズボンを含めたズボンに関し、詳しくは、軽度の尿漏れに対応可能なズボンに関する。
【背景技術】
【０００２】
従来、男性の軽度の尿漏れ対策として、ズボンの内側や下着に尿吸収用のパッドをホックやボタンで着脱可能に取り付けたり、両面テープや万能テープで着脱可能に取り付けたりすることにより、ズボン本体にしみが移らないようにしたものがあった（例えば、特許文献１参照。）。
【先行技術文献】
【特許文献】
【０００３】
【特許文献１】特開平９−１９４５０号公報
【考案の概要】
【考案が解決しようとする課題】
【０００４】
しかし、上述の特許文献１のものでは、尿吸収用のパッドをホックやボタンで固定する場合では、ズボン着用時にボタンやホックに違和感を感じることがあり、また、尿吸収用のパッドを両面テープや万能テープで着脱可能に固定するものでは、所定の位置にパッドが固定できないことがあった。
【０００５】
そこで本考案は、良好な履き心地を維持しながら、軽度の尿漏れ対策を講じることができるズボンを提供することを目的としている。
【課題を解決するための手段】
【０００６】
上記目的を達成するため、本考案のズボンは、ズボン本体の左前身頃の上部裏側に、防水生地で形成した左側防水裏地を、ズボン本体の右前身頃の上部裏側に、防水生地で形成した右側防水裏地をそれぞれ設け、スライドファスナーを取り付ける持ち出し部を防水生地で形成し、前記左側防水裏地と前記右側防水裏地とは、前記ズボン本体のウエスト部から股下部の膝上に至るまでの長さをそれぞれ有するとともに、前記ズボン本体の脇部に縫合される脇縫合部と、前記ズボン本体の前中心部に縫合される前中心縫合部と、前記ズボン本体の内股部に縫合される内股縫合部と、ズボン本体のウエスト部に縫合されるウエスト縫合部とをそれぞれ備え、前記持ち出し部は、ズボン本体側に縫合される持ち出し縫合部を備えていることを特徴としている。
【０００７】
また、ズボン本体の左前身頃の上部裏側に、防水生地で形成した左側防水裏地を、ズボン本体の右前身頃の上部裏側に、防水生地で形成した右側防水裏地を、スライドファスナーを取り付ける持ち出し部の裏側に、防水生地で形成した持ち出し用防水裏地をそれぞれ設け、前記左側防水裏地と前記右側防水裏地とは、前記ズボン本体のウエスト部から股下部の膝上に至るまでの長さをそれぞれ有するとともに、前記ズボン本体の脇部に縫合される脇縫合部と、前記ズボン本体の前中心部に縫合される前中心縫合部と、前記ズボン本体の内股部に縫合される内股縫合部と、ズボン本体のウエスト部に縫合されるウエスト縫合部とをそれぞれ備え、前記持ち出し部は、ズボン本体側と縫合される持ち出し縫合部を備えていることを特徴としている。
【０００８】
また、前記防水生地は、水蒸気は通し、且つ、水は通さない極めて微細な複数の孔を有する皮膜を布面に加工した生地であると好ましい。
【０００９】
さらに、前記左側防水裏地と前記右側防水裏地と前記持ち出し部とを縫合した状態の前記ズボン本体裏側の、前記前中心縫合部とその周囲、及び、前記持ち出し縫合部とその周囲に防水処理を施した防水部をそれぞれ設けると好適である。
【考案の効果】
【００１０】
本考案のズボンによれば、ズボン本体の前身頃上部の裏側全体に亘って防水裏地が設けられることから、軽度の尿漏れがあった際にズボン本体にしみができて見栄えが悪くなることを防止できる。さらに、持ち出し部を防水生地で形成し、或いは、持ち出し部の裏側に防水生地で形成した持ち出し用防水裏地を設けることにより、スライドファスナーの良好な開閉を維持しながら、尿漏れ対策を図ることができると共に、スライドファスナーの耐久性を維持することができる。また、左側防水裏地と右側防水裏地の下端部は、ズボン本体とは縫合されずに、それぞれフリーな状態となっていることから、ズボン本体に縫い目が現れることがなく、着心地も良好に保つことができる。
【００１１】
さらに、左側防水裏地と右側防水裏地と持ち出し部とを縫合した状態のズボン本体裏側の、前中心縫合部とその周囲、及び、持ち出し縫合部とその周囲に防水処理を施した防水部をそれぞれ設けたことにより、軽度の尿漏れがあった際にズボン本体にしみができることをより確実に防止することができる。
【図面の簡単な説明】
【００１２】
【図１】本考案の第一形態例を示すズボンの前身頃の要部説明図である。
【図２】同じくズボンの前身頃を構成する布地を裁断した状態の平面図である。
【図３】同じく防水裏地を裁断してダーツを縫製する行程を示す説明図である。
【図４】同じく防水裏地を仕上げる工程を示す説明図である。
【図５】同じく防水裏地をズボン本体に縫合する縫合工程を示す説明図である。
【図６】持ち出し部の形成工程を示す説明図である。
【図７】持ち出し部をズボン本体側へ縫合する縫合工程を示す説明図である。
【図８】同じく防水裏地を介して前身頃と後身頃の脇部を縫合する縫合工程を示す説明図である。
【考案を実施するための形態】
【００１３】
図１乃至図８は本考案のズボンの一形態例を示す図で、本考案のズボン１の前身頃は、ズボン本体１１と、前身頃上部の裏側に設けられる防水裏地２１とを備えている。ズボン本体１１は、例えば、ウール，コットン，ポリエステル，レーヨンやこれらを混紡した生地で形成され、前身頃は、左前身頃１２と、右前身頃１３と、左前身頃１２に取り付けられ、スライドファスナーの一方を取り付ける見返し部１４と、右前身頃１３に取り付けられ、スライドファスナーの他方を取り付ける持ち出し部１５とを備えている。
【００１４】
防水裏地２１は、防水生地で形成され、左前身頃１２の上部裏側に縫い付けられる左側防水裏地２２と、右前身頃１３の上部裏側に縫い付けられる右側防水裏地２３とを備えている。さらに、持ち出し部１５は、左側防水裏地２２と右側防水裏地２３と同様の防水生地で形成されている。
【００１５】
左側防水裏地２２と右側防水裏地２３及び持ち出し部１５に用いられる防水生地は、水蒸気は通し、且つ、水は通さない極めて微細な複数の孔を有する皮膜を布面に加工した薄手で柔らかい生地が用いられる。皮膜を形成する方法としては、例えば布面に樹脂をコーティングするものがあり、樹脂を布面に均一に塗布した後に熱をかけて樹脂を乾燥させる乾式コーティングと、水溶液中で樹脂を化学的に反応させて被膜を形成する湿式コーティングとがある。一般的には湿式コーティングが用いられ、ポリウレタン樹脂などを溶媒に溶かした溶液を布面に塗布し、水溶液中で反応させてポリウレタン被膜を再生させ、皮膜形成時に溶媒がポリウレタン樹脂から抜け出すことにより複数の微細な孔を備えた樹脂層がコーティングされる。また、ポリウレタン樹脂やフッ素系樹脂から成る多孔質のフィルムを予め形成しておき、これを布面に接着剤を用いて接着させるラミネート加工を用いてもよく、コーティング加工に比べて防水性が良い。さらに、フッ素化合物などの分子間引力が弱い加工材を布面にコーティングして、布材に撥水加工を施すことで防水裏地を形成することもできる。
【００１６】
次に、防水裏地２１を備えたズボン本体１１の製造工程について説明する。
【００１７】
まず、図２に示されるように、左側防水裏地２２は、左前身頃１２のウエスト部１２ａから股下部の膝上に至るまでの長さを有し、左前身頃１２の裏面と左側防水裏地２２の裏面とを合わせた状態で、左前身頃１２のウエスト部１２ａと前中心部１２ｂと脇部１２ｃと内股部１２ｄとに沿った形状に裁断する。右側防水裏地２３も図２に示されるように、右前身頃１３のウエスト部１３ａから股下部の膝上に至るまでの長さを有し、右前身頃１３の裏面と右側防水裏地２３の裏面とを合わせた状態で、右前身頃１３のウエスト部１３ａと前中心部１３ｂと脇部１３ｃと内股部１３ｄとに沿った形状に裁断する。
【００１８】
次に、図３（ａ）に示されるように、左側防水裏地２２及び右側防水裏地２３のダーツ２２ａ，２３ａを縫い（右側防水裏地２３は図示省略）、次いで、図３（ｂ）に示されるように、ダーツ２２ａ，２３ａの押さえ２２ｂ，２３ｂを表側からそれぞれ縫う（左側防水裏地２２は図示省略）。
【００１９】
図１及び図４に示されるように、左側防水裏地２２の脇部と前中心部と内股部とにかがり部２２ｃをそれぞれ設けると共に、下端部にまつり縫い２２ｄを施す。右側防水裏地２３も同様に脇部と前中心部と内股部とにかがり部２３ｃをそれぞれ設けると共に、下端部にまつり縫い２３ｄを施す。
【００２０】
次に、図５に示されるように、左側防水裏地２２の裏面と左前身頃１２の裏面とを合わせた状態で、左前身頃１２の形状に沿わせて左側防水裏地２２を配置し、左前身頃１２の内股部１２ｄに縫い付けて内股縫合部２２ｅを形成するとともに、左前身頃１２の前中心部１２ｂに縫い付けて前中心仮止め部２２ｆをそれぞれ形成する。さらに、周知の工程で見返し部１４を縫合する。同様に、右側防水裏地２３の裏面と右前身頃１３の裏面とを合わせた状態で、右前身頃１３の形状に沿わせて右側防水裏地２３を配置し、右前身頃１３の右前身頃１３の内股部１３ｄに縫い付けて内股縫合部２３ｅを形成するとともに、右前身頃１３の前中心部１３ｂに縫い付けて前中心仮止め部（図示省略）をそれぞれ形成する。
【００２１】
次いで、図６（ａ）に示されるように、持ち出し部用に裁断した防水生地を中表に重ねて下辺を縫い、図６（ｂ）に示されるように表に返し、図６（ｃ）に示されるように、脇にかがり部１５ａを形成する。さらに、図７に示されるように、持ち出し部１５は右側防水裏地２３を介して右前身頃１３に縫合し、持ち出し縫合部１５ｂを形成する。なお、持ち出し部１５は、左側防水裏地２２や右側防水裏地２３を仕上げるより前に予め作成しておくこともできる。
【００２２】
次に、図１に示されるように、左前身頃１２の前中心部１２ｂと右前身頃１３の前中心部１３ｂとを、左側防水裏地２２と右側防水裏地２３とを介して縫い付け、前中心縫合部２４を形成する。さらに、周知の工程で、見返し部１４と持ち出し部１５とにスライドファスナーを取り付ける。
【００２３】
このように形成された前身頃の裏側の前中心縫合部２４とその周囲、及び、持ち出し縫合部１５ｂとその周囲とに、防水加工を施し、防水加工部２５を形成する。防水加工は、防水スプレーを用いるものや防水シールを用いるもの等、周知の方法で行われる。
【００２４】
次いで、図８に示されるように、左前身頃１２の脇部１２ｃに左側防水裏地２２を介して後身頃の脇部を縫い付けるとともに、右前身頃１３の脇部１３ｃに右側防水裏地２３を介して後身頃を縫い付け、脇縫合部２６をそれぞれ形成する。さらに、ウエスト部が周知の工程で形成され、ウエスト部形成時に、左側防水裏地２２と右側防水裏地２３とが、左前身頃１２のウエスト部１２ａと右前身頃１３のウエスト部１３ａとにそれぞれ縫合されウエスト縫合部（図示せず）が形成され、ズボン１が形成される。
【００２５】
本形態例のズボン１は、ズボン本体１１の前身頃上部の裏側全体に亘って防水裏地２１が設けられることから、軽度の尿漏れがあった際にズボン本体１１にしみができて見栄えが悪くなることを防止できる。さらに、持ち出し部１５が防水生地で形成されていることにより、スライドファスナーの良好な開閉を維持しながら、尿漏れ対策を確実に図ることができると共に、スライドファスナーの耐久性を維持することができる。また、左側防水裏地２２と右側防水裏地２３とは、下端部がそれぞれフリーな状態となっていることから、ズボン本体１１に縫い目が現れることがなく、さらに、着心地も良好に保つことができる。また、前身頃の裏側の前中心縫合部２４とその周囲、及び、持ち出し縫合部１５ｂとその周囲には防水加工部２５が形成されていることから、軽度の尿漏れがあった際にズボン本体にしみができることをより確実に防止することができる。
【００２６】
なお、本考案は上述の形態例に限るものではなく、持ち出し部をズボン本体と同様の生地で形成し、持ち出し部の裏側に防水生地で形成した持ち出し用防水裏地を接着、或いは、縫い付けるものでも良い。また、本考案のズボンは、実用新案登録請求の範囲の記載内において、ズボン本体の構成要素は種々の変形が可能である。
【符号の説明】
【００２７】
１…ズボン、１１…ズボン本体、１２…左前身頃、１２ａ…ウエスト部、１２ｂ…前中心部、１２ｃ…脇部、１２ｄ…内股部、１３…右前身頃、１３ａ…ウエスト部、１３ｂ…前中心部、１３ｃ…脇部、１３ｄ…内股部、１４…見返し部、１５…持ち出し部、１５ａ…かがり部、１５ｂ…持ち出し縫合部、２１…防水裏地、２２…左側防水裏地、２２ａダーツ…、２２ｂ…押さえ、２２ｃ…かがり部、２２ｄ…まつり縫い、２２ｅ…内股縫合部、２２ｆ…前中心仮止め部、２３…右側防水裏地、２３ａ…ダーツ、２３ｂ…押さえ、２３ｃ…かがり部、２３ｄ…まつり縫い、２３ｅ…内股縫合部、２４…前中心縫合部、２５…防水加工部、２６…脇縫合部
【図１】
0003210972.tif 000003
【図２】
0003210972.tif 000004
【図３】
0003210972.tif 000005
【図４】
0003210972.tif 000006
【図５】
0003210972.tif 000007
【図６】
0003210972.tif 000008
【図７】
0003210972.tif 000009
【図８】
0003210972.tif 000010